(57)【要約】 【課題】  捲りやすい帳票用紙を提供する。【解決手段】  用紙５には、切断可能線としてのミシン目１８が形成されており、用紙５が３等分の紙片６に分断されるようになっている。この用紙５は、分断前にプリンタによって所定事項が印刷され、その後、ミシン目１８により売上伝票用の紙片６Ａ、納品書用の紙片６Ｂ、受領書用の紙片６Ｃに分断され、それぞれ種別に綴じられるものである。この用紙５の表面（記入欄３が設けられた片面）５Ａには、各紙片６Ａ，６Ｂ，６Ｃの下側の縁部分に滑り止め用の薬品が塗布され、薬品塗布層１５が形成されている。指が薬品塗布層１５によって滑りにくくなるから、捲りやすくなる。【選択図】  図７
2005199474.tif 000002
【特許請求の範囲】
【請求項１】
表面に所定の記入欄が設けられた帳票用の用紙であって、
前記表面には、帳票として使用するときの縁となる部分に、指との滑りを防止する滑り防止加工が施されていることを特徴とする帳票用紙。
【請求項２】
前記滑り防止加工は、前記用紙に対する指の水分の吸収防止用の薬品を前記縁となる部分に塗布するものであることを特徴とする請求項１に記載の帳票用紙。
【請求項３】
表面に所定の記入欄が設けられた帳票用の用紙であって、
前記表面又は裏面には、帳票として使用するときの縁となる部分に、前記用紙同士の摩擦係数を低減する滑り加工が施されていることを特徴とする帳票用紙。
【発明の詳細な説明】
【技術分野】
【０００１】
本発明は、帳票用紙に関する。
【背景技術】
【０００２】
従来から、複数の用紙が一端側にて綴じられた伝票等が広く使用されている（例えば、特許文献１参照）。このような伝票等は、所定事項を記載した用紙を指で捲り、この用紙を切り離して使用する。
【特許文献１】特開２０００−７１６６０公報（図１）
【発明の開示】
【発明が解決しようとする課題】
【０００３】
しかしながら、従来のものでは、指で１枚の用紙を捲ろうとしても、うまく捲れずに、数枚が同時に捲られてしまう場合があった。
特に、急いで捲ろうとすると、その傾向が強くなるため、１枚の用紙のみを捲るためには慎重に捲る必要があり煩雑であった。
また、伝票等から切り取られた用紙は、例えば種類別に整理されて一端側を再び綴じた状態とされる。そして、作業者は、この用紙を捲って記載事項を見る。
ところが、再び綴じられた状態においても、指で１枚の用紙を捲ろうとしても、うまく捲れずに、数枚が同時に捲られてしまう場合があった。
本発明は上記のような事情に基づいて完成されたものであって、捲りやすい帳票用紙を提供することを目的とする。
【課題を解決するための手段】
【０００４】
上記の目的を達成するための手段１として、請求項１の発明は、表面に所定の記入欄が設けられた帳票用の用紙であって、前記表面には、帳票として使用するときの縁となる部分に、指との滑りを防止する滑り防止加工が施されていることを特徴とする帳票用紙である。
【０００５】
請求項２の発明は、請求項１に記載のものにおいて、前記滑り防止加工は、前記用紙に対する指の水分の吸収防止用の薬品を前記縁となる部分に塗布するものであることを特徴とする。
【０００６】
請求項３の発明は、表面に所定の記入欄が設けられた帳票用の用紙であって、前記表面又は裏面には、帳票として使用するときの縁となる部分に、前記用紙同士の摩擦係数を低減する滑り加工が施されていることを特徴とする帳票用紙である。
【０００７】
手段４の発明は、表面に所定の記入欄が設けられた帳票用の用紙であって、前記表面又は裏面には、帳票として使用するときの縁となる部分に、帯電防止剤が塗布されていることを特徴とする帳票用紙である。
【０００８】
手段５の発明は、請求項１に記載のものにおいて、前記滑り防止加工は、前記縁となる部分に施した孔開け加工であることを特徴とする。
【０００９】
手段６の発明は、請求項１に記載のものにおいて、前記滑り防止加工は、前記縁となる部分に施したエンボス加工であることを特徴とする。
【００１０】
手段７の発明は、請求項３に記載のものにおいて、前記滑り加工は、前記用紙同士の摩擦係数低減用の薬品を前記縁となる部分に塗布するものであることを特徴とする。
【００１１】
なお、本発明の帳票用紙とは、銀行・会社・商店などで取引の要件を記載するものであり、その種類・用途は特に限定されない。例えば、入庫伝票・出庫伝票・入金伝票・出金伝票・振替伝票・売上伝票・領収書・納品書・受領書・注文書・見積書・仕切書・合計請求書・請求書等に使用される用紙が挙げられる。
【発明の効果】
【００１２】
＜手段１（請求項１）の発明＞
帳票用の用紙は、複数枚積み重ねて使用されるものである。そして、この積み重ねられた状態の用紙を捲る際には、積み重ねられた用紙のうち、最上位のものの表面の縁部分を指で押さえながら、その指を用紙の綴じ側方向に変位させて、最上位の用紙をその裏面の用紙（上から２番目の用紙）からずらすことが多い。
本請求項の構成によれば、指が積み重ねられた最上位の用紙に対して滑りにくくなるから、指によって最上位の用紙のみをずらしやすくなり、その結果１枚の用紙のみを捲りやすくなる。
【００１３】
＜手段２（請求項２）の発明＞
積み重ねられた用紙を何枚も捲ると、指の水分が用紙に吸収され、その結果、徐々に指が用紙に対して滑りやすくなり、用紙を捲りにくくなる。このため、従来は指に水分を与えるためのスポンジ、海綿や紙捲り用のクリームを補助的に使用する場合も多かった。
本手段の構成によれば、用紙には、帳票として使用するときの縁となる部分に、指の水分吸収防止も兼ねた薬品が塗布されているから、用紙を捲っても指の水分が用紙に奪われにくくなり、何枚も用紙を捲っていく際に徐々に捲りにくくなることもなくなる。従って、スポンジ、海綿や紙捲り用のクリームは不要となる、又はスポンジ等を使用する頻度が減少する。
また、本手段の構成によれば、指の滑り止め用及び水分吸収防止用の薬品を塗布すれば、捲りやすい帳票用の用紙を容易に作製することができるから、その生産コストが安くなる。
【００１４】
＜手段３（請求項３）の発明＞
帳票を捲る際には、積み重ねられた用紙のうち、最上位の用紙の表面の縁部分を指で押さえながら、その指を用紙の綴じ側方向に変位させて、最上位の用紙をその裏面の用紙（上から２番目の用紙）からずらすことが多い。
本請求項の構成によれば、最上位の用紙がその裏面の用紙（上から２番目の用紙）に対して滑りやすくなるから、指によって最上位の用紙のみをずらしやすくなり、その結果１枚の用紙のみを捲りやすくなる。
【００１５】
＜手段４の発明＞
本請求項の構成によれば、各用紙の表面又は裏面には、帳票として使用するときの縁となる部分に、帯電防止剤が塗布されているから、各用紙が静電気によって密着するおそれが減少し、その結果１枚の用紙のみを捲りやすくなる。
【００１６】
＜手段５の発明＞
本手段の構成によれば、帳票の縁となる部分に孔が開けられているから、この孔に指が引っ掛かり、指が用紙に対して滑りにくくなる。
【００１７】
＜手段６の発明＞
本手段の構成によれば、帳票の縁となる部分に、エンボス加工が施されているから、エンボス部に指が引っ掛かり指が用紙に対して滑りにくくなる。
【００１８】
＜手段７の発明＞
本手段の構成によれば、摩擦係数低減用の薬品を塗布して捲りやすい帳票用の用紙を容易に作製することができるから、その生産コストが安くなる。
【発明を実施するための最良の形態】
【００１９】
＜実施形態１＞
本発明の第１実施形態について図１〜図６を参照しつつ説明する。
帳票としての伝票１は、表面５Ａに所定の記入欄３が設けられた任意枚数の複数の伝票用の用紙５（本発明の帳票用紙に相当する）が積み重ねられて、用紙の一端側（以下「綴じ側」ともいう）７にて綴じ合わされたものである。
各用紙５は、Ｂ７サイズの上質紙であり、例えば糊８によって綴じ側７において相互に接着されている。さらに、伝票１には積層された用紙５を両側から挟むように表紙９と裏紙１１とが設けられている。
なお、各用紙５には、綴じ孔５Ｃが開けられている。この綴じ孔５Ｃは、図６に示すように、用紙５を伝票１から分離後に、例えば紐１０によって再び綴じるためのものである。
【００２０】
この伝票１は、所定事項を記載した最上位の用紙５を指で捲り、この用紙５のみを切り離して使用するものである。
各用紙５の表面（記入欄３が設けられた片面）５Ａには、綴じ側７と反対側１３の縁部のうち、隅部分（角部分）に、用紙５をめくる際に用紙５に対して指を滑りにくくする滑り止め用の薬品が塗布され、隅部分には薬品塗布層１５が、隅部分の形状に対応するように略Ｌ字又は略逆Ｌ字状に形成されている（薬品塗布層１５は記載欄３の外側領域に形成されている）。
なお、滑り止め用の薬品の塗布に際して、例えば、多色印刷機により塗布することができる。
【００２１】
この薬品としては、例えば、メジュームや一般に剥離ニスと称される薬品を使用することができる。剥離ニスとしては、特に限定されずに周知のものを使用することができ、例えば、アクリル樹脂系、塩化ビニル樹脂系、ゴム系、シリコーン系、より具体的には、剥離ＯＰニス、アクリル塩化ゴム樹脂を配合したもの等を使用することができる。
剥離ニスは、一般に剥離処理するために用いるものであるが、これは同時に指等に対しては、若干の粘着性を有し滑り止め機能をも発揮する。さらに、剥離ニスには吸水性はないから、これをコーティングすると、指の水分吸収防止機能をも発揮する。
さらに、メジュームや剥離ニスに滑り剤等の添加剤を加えてもよい。
なお、メジュームや一般に剥離ニスと称される薬品としては、例えば、大日本インキ化学工業株式会社の製品名「ダイキュアセプター  メジューム  Ｓ（モノマー５０〜６０％、合成樹脂類１０〜２０％、助剤１０〜２０％、顔料１０〜２０％、その他５％未満）」、同社製「ダイキュアＷＬ  マット  ＯＰニス  Ｎｏ．４（助剤２５〜３５％、モノマー２０〜３０％、合成樹脂類２０〜３０％、顔料１５〜２５％、溶剤５％未満、その他５％未満）」、同社製「ダイキュア  スリップ剤  ＡＬ（合成樹脂類６５〜７５％、助剤２５〜３５％）」等が市販されている。
【００２２】
本実施形態の伝票用の用紙５によれば、以下の作用効果を奏する。図５に示すように、伝票１の用紙５を捲る際には、積み重ねられた用紙５のうち、最上位の用紙５Ｈの表面５Ａの隅部分を指１７で押さえながら、その指１７を伝票１の綴じ側７方向に変位させて、最上位の用紙５Ｈをその裏面の用紙５Ｌ（上から２番目の用紙）からずらすことが多い。
本実施形態の構成によれば、指１７が一番上の用紙５Ｈに対して滑りにくくなるから、指１７によって一番上の用紙５Ｈをずらしやすくなり、その結果１枚の用紙５Ｈのみを捲りやすくなる。
また、伝票１から切り取られた用紙５は、例えば図６に示すように再び綴じた状態とされ、作業者は、この用紙５を捲って記載事項をみる場合がある。この場合においても、指１７が一番上の用紙５に対して滑りにくくなるから、指によって一番上の用紙５をずらしやすくなり、その結果１枚の用紙５のみを捲りやすくなる。
さらに、滑り止め用の薬品が塗布されている薬品塗布層１５は、用紙５の記載欄３以外の領域に形成されているから、滑り止め用の薬品によって、記載欄３に筆記しにくくなるおそれはない。
しかも、薬品として剥離ニスを使用した場合には、剥離ニスには吸水性はないから、用紙５を捲っても指１７の水分が用紙５に奪われにくくなり、何枚も用紙５を捲っていく際に徐々に捲りにくくなることもなくなる。
また、本実施形態では、滑り防止用の薬品を塗布して捲りやすい伝票用の用紙５を容易に作製することができるから、その生産コストが安くなる。
【００２３】
＜第２実施形態＞
次に、第２実施形態について図７〜８を参照しつつ説明する。第２実施形態では、第１実施形態と異なる構成のみ説明し、第１実施形態と同一の他の構成、作用、効果については省略する。なお、同一の構成については第１実施形態と同一の符号を付す。第２実施形態では、用紙５には、切断可能線としてのミシン目１８が形成されており、用紙５が３等分の紙片６Ａ，６Ｂ，６Ｃに分断されるようになっている。
この用紙５は、分断前にプリンタによって所定事項が印刷され、その後、ミシン目１８により売上伝票用の紙片６Ａ、納品書用の紙片６Ｂ、受領書用の紙片６Ｃに分断され、図８に示されるようにそれぞれ種別に綴じられるものである。
この用紙５の表面（記入欄３が設けられた片面）５Ａには、各紙片６Ａ，６Ｂ，６Ｃの下側の縁部分に滑り止め用の薬品が塗布され、薬品塗布層１５が形成されている。なお、薬品塗布層１５は記載欄３の外側領域に形成されている。
【００２４】
（試験）
ここで、本実施形態の用紙５の効果を確認するために行った試験について説明する。この試験では、図７に示すＡ４サイズのＰＰＣ用紙（王子製紙株式会社、坪量６４ｇ／ｃｍ2）を用い、帳票として使用されるときの縁となる部分、すなわち、各紙片６Ａ，６Ｂ，６Ｃの下側の縁部分に逆Ｌ形状にＯＰニス（大日本インキ化学工業（株）製、製品名「ダイキュアＷＬ  マット  ＯＰニス  Ｎｏ．４」）を塗布してテストサンプルとした（塗布はメーヤーバーを使用した）。なお、塗布部分として、図７の符号Ｌ１の長さを約１９０ｍｍ、Ｌ２の長さを約５０ｍｍとし、幅Ｗは１０ｍｍとした。そして、用紙５をミシン目１８によって３等分した後、図８に示すように種別に複数枚積み重ね、通常業務での伝票取り扱い経験者（３名）と未経験者（１０名）が、テストサンプルを捲る作業を模擬的に行い評価した。なお、評価にあたって、未処理（ＯＰニス未塗布）のＰＰＣ用紙を三等分に分断したもの（比較例）を用意し、両者のめくり性を比較した。
結果を表１に示す。なお、表１の「良好」とは、テストサンプルが比較例よりもめくり易かった場合をいい、「差がない」とは両者のめくり性に差が感じられなかった場合をいう。
【００２５】
【表１】
2005199474.tif 000003
【００２６】
この結果から、ＯＰニスを塗布したテストサンプルはめくり易いことが確認された。なお、幅Ｗのみを変化させた伝票を作製し（５ｍｍ、３ｍｍ、２ｍｍ）、同様に評価したところ、いずれのものも未処理のものと比較して捲りやすいことが判明した。幅Ｗが５ｍｍ以上、特に１０ｍｍ以上のものは、非常にめくりやすいことが判明した。
次に、上記と同様の用紙を多色印刷機により印刷して実機サンプルを作製した。そして、上記試験と同様の評価を行った。
結果を表２に示す。
【００２７】
【表２】
2005199474.tif 000004
【００２８】
この結果からも、ＯＰニスを塗布した用紙はめくり易いことが確認された。また、多色印刷機によって容易に作製できることから、安価に製造できることも確認された。
次にテストサンプルついて、プリンタ特性を評価した。プリンタとしては、レーザプリンタ（セイコーエプソン株式会社製、型番ＬＰ−７８００Ｃ及び型番ＬＰ−８３００）及びインクジェットプリンタ（キャノン株式会社製；型番ＢＪＦ９５０ｉ、及びセイコーエプソン株式会社製；型番ＰＭ−Ｇ８００）を使用した。そして、給紙適性及びＯＰニス塗布部分の印刷適性を評価した。
結果を表３に示す。
【００２９】
【表３】
2005199474.tif 000005
この結果から、給紙適性はいずれのプリンタを使用した場合も良好であった。ＯＰニス塗布部分の印刷適性は、レーザープリンタでは良好であったがインクジェットプリンタでは、不良であった。従って、ＯＰニス塗布部分を、非印刷領域（非記載領域）とすることが好ましいことが判明した。
【００３０】
＜第３実施形態＞
次に、第３実施形態について図９を参照しつつ説明する。第３実施形態では、第１実施形態と異なる構成のみ説明し、第１実施形態と同一の他の構成、作用、効果については省略する。なお、同一の構成については第１実施形態と同一の符号を付す。第３実施形態では、各用紙５の表面５Ａ（記入欄３が設けられた片面）には、綴じ側７と反対側１３の隅部分（角部分）に、用紙５をめくる際に用紙５に対して指１７を滑りにくくする滑り防止加工として、貫通孔２１が穿設されている。
本実施形態の構成によれば、指を用紙５の隅部分にかけた際に、貫通孔２１のエッジ部分が指に引っ掛かり、指が用紙５に対して滑りにくくなるから、指によって一番上の用紙５をずらしやすくなり、その結果１枚の用紙５のみを捲りやすくなる。
さらに、貫通孔２１が形成されている部分は、用紙５の記載欄３以外の領域であるから、貫通孔２１によって、筆記しにくくなるおそれはない。
【００３１】
＜第４実施形態＞
次に、第４実施形態について図１０〜図１１を参照しつつ説明する。第４実施形態では、第１実施形態と異なる構成のみ説明し、第１実施形態と同一の他の構成、作用、効果については省略する。なお、同一の構成については第１実施形態と同一の符号を付す。
第４実施形態では、各用紙５の表面５Ａ（記入欄３が設けられた片面）の、綴じ側７と反対側１３の隅部分（角部分）には、用紙５をめくる際に用紙５に対して指を滑りにくくする滑り防止加工として、エンボス加工が施されており、断面凹凸形状のエンボス部２３が形成されている。なお、エンボス加工により形成される凹凸の形状は、特に限定されず、例えば線状、点状、碁盤目状等とすることができる。
【００３２】
本実施形態の構成によれば、用紙５の隅部分に、エンボス加工が施されているから、エンボス部２３に指が引っ掛かり、指が用紙５に対して滑りにくくなる。よって、指によって一番上の用紙５をずらしやすくなり、その結果１枚の用紙５のみを捲りやすくなる。
さらに、エンボス部２３は、用紙５の記載欄３以外の領域であるから、エンボス部２３の凹凸によって、筆記しにくくなるおそれはない。
【００３３】
＜第５実施形態＞
次に、第５実施形態について図１２〜図１４を参照しつつ説明する。第５実施形態では、第１実施形態と異なる構成のみ説明し、第１実施形態と同一の他の構成、作用、効果については省略する。なお、同一の構成については第１実施形態と同一の符号を付す。
第５実施形態では、各用紙５の裏面５Ｂ（記入欄３が設けられた片面と反対の面）には、綴じ側７と反対側１３の隅部分（角部分）に、用紙５同士の摩擦係数を低減する滑り加工が施されている。具体的には、滑り加工は、用紙５同士の摩擦係数低減用の薬品を隅部分に塗布する加工とされている（隅部分には薬品塗布層２５が形成されている）。
【００３４】
この薬品としては、例えば、第１実施形態の場合と同様のメジュームや、剥離ニスや、シリコーン剥離剤を使用することができる。
なお、剥離ニスやシリコーン剥離剤は、一般に剥離処理するために用いるものであるが、本実施形態においては、用紙５同士の摩擦係数低減する機能を発揮するものとして使用されている。
【００３５】
本実施形態の構成によれば、伝票１の最上位の用紙５がその裏面の用紙５（上から２番目の用紙）に対して滑りやすくなるから、指によって最上位の用紙５のみをずらしやすくなり、その結果１枚の用紙５のみを捲りやすくなる。
また、本実施形態の構成によれば、単に摩擦係数低減用の薬品を塗布して捲りやすい伝票１を作製することができるから、その生産コストが安くなる。
しかも、通常、用紙５を捲る際の捲り始め部分となる、隅部分のみが薬品塗布部２５とされているから、１枚の用紙５のみを捲りやすい伝票１を、必要最小限の摩擦係数低減用の薬品の塗布によって製造することができる。
【００３６】
なお、本実施形態では、各用紙５の裏面５Ｂに用紙５同士の摩擦係数を低減する滑り加工が施されているものとしたが、各用紙５の表面５Ａに滑り加工を施してもよいし、表面５Ａ及び裏面５Ｂの両面に滑り加工を施してもよい。このようにしても、指によって最上位の用紙５のみをずらしやすくなり、その結果１枚の用紙５のみを捲りやすくなる。
【００３７】
＜第６実施形態＞
次に、第６実施形態について図１５を参照しつつ説明する。第６実施形態では、第５実施形態と異なる構成のみ説明し、第５実施形態と同一の他の構成、作用、効果については省略する。なお、同一の構成については第５実施形態と同一の符号を付す。
第６実施形態では、各用紙５の裏面５Ｂ（記入欄３が設けられた片面と反対の面）には、綴じ側７と反対側１３の隅部分（角部分）に、第５実施形態の摩擦係数低減用の薬品に代えて帯電防止剤が塗布されている（隅部分は帯電防止剤塗布部２７とされている）。
【００３８】
帯電防止剤としては特に限定されず、一般に帯電防止剤として市販されているものが使用できる。帯電防止剤としては、各種界面活性剤、無機塩、多価アルコール、金属化合物、カーボン等が使用され、その具体例としては、非イオン系の、ポリオキシエチレンアルキルアミン、ポリオキシエチレンアルキルアミド、ポリオキシエチレンアルキルエーテル、ポリオキシエチレンアルキルフェニルエーテル、グリセリン脂肪酸エステル、ソルビタン脂肪酸エステル、陰イオン系のものとしては、アルキルスルホン酸塩、アルキルベンゼンスルホン酸塩、アルキル硫酸エステル塩、アルキルリン酸エステル塩、陽イオン系のものとしては、第四級アンモニウムクロリド、第四級アンモニウム硫酸塩、第四級アンモニウム硝酸塩、両性系のものとしてはアルキルベタイン、アルキルイミダゾリン、アルキルアラニン、ポリビニルベンジル型陽イオン、ポリアクリル酸型陽イオン、ポリビニルベンゼンスルホン酸型陰イオンが挙げられる。なお、帯電防止剤の塗布に際して、例えば、多色印刷機により塗布することができる。
本実施形態の構成によれば、各用紙５の裏面５Ｂには、綴じ側７と反対側１３の隅部分に帯電防止剤が塗布されているから、各用紙５が静電気によって密着するおそれが減少し、その結果１枚の用紙５のみを捲りやすくなる。
【００３９】
なお、本実施形態では、各用紙５の裏面５Ｂに帯電防止剤が塗布されているものとしたが、各用紙５の表面５Ａに帯電防止剤を塗布してもよいし、表面５Ａ及び裏面５Ｂの両面に帯電防止剤を塗布してもよい。このようにしても、各用紙５が静電気によって密着するおそれが減少し、その結果１枚の用紙５のみを捲りやすくなる。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、特定のサイズの用紙５について説明したが、用紙５のサイズは特に限定されず、例えば、Ａ４、Ａ５、Ａ６、Ｂ４、Ｂ５、葉書等のサイズであってもよい。また、用紙５は矩形状のものとしたが、その形状も特に限定されない。
（２）上記第１実施形態では、伝票１は、糊８から用紙５を直接切り離すようにして使用される構造としたが、各用紙５の綴じ側７近傍にミシン目を入れ、このミシン目から各用紙５を分離可能な構造としてもよい。
（３）上記実施形態では、出金伝票等の用紙５を例として説明したが、用紙５の用途は特に限定されない。
（４）なお、図４、図１４では、薬品塗布層１５，２５の存在を示すために、その厚みを誇張して描いているが、薬品塗布層１５，２５の厚みは実際には非常に薄いものとされる。なお、薬品塗布層１５，２５の厚みは特に限定されない。
（５）また、滑り止め用の薬品の塗布や、摩擦係数低減用の薬品の塗布や、帯電防止剤の塗布に際して、塗布液中に種々の添加剤を混合してもよい。また、摩擦係数低減用の薬品と帯電防止剤とを混合して塗布してもよい。
（６）また、第１実施形態、第２実施形態、第３実施形態、第４実施形態、第５実施形態、第６実施形態は、任意に組み合わせてもよい。例えば、表面に滑り防止加工をして、かつ裏面に滑り加工をしてもよい。
（７）上記第２実施形態では、切断可能線はミシン目１８としたが、切断可能であればミシン目に限定されない。
（８）上記第２実施形態では、用紙５は、３つの紙片６に分割されるものとしたが、紙片６が分割される数は特に限定されず、２でも、４以上であってもよい。
（９）なお、上記実施形態で使用される用紙５は、カーボン紙であってもよい。
（１０）上記実施形態では、用紙５は、ひもで再び綴じられることとしたが、他の手段、例えばホッチキスによって綴じてもよい。
【図面の簡単な説明】
【００４１】
【図１】第１実施形態の伝票を示す斜視図
【図２】用紙の表面図
【図３】用紙の裏面図
【図４】図２のＸ−Ｘ断面図
【図５】伝票を示す斜視図
【図６】分離した用紙を綴じた状態を示す斜視図
【図７】第２実施形態の用紙の表面図
【図８】分離した紙片を綴じた状態を示す斜視図
【図９】第３実施形態の伝票の用紙の表面図
【図１０】第４実施形態の伝票の用紙の表面図
【図１１】図１０のＹ−Ｙ断面図
【図１２】第５実施形態の伝票の用紙の表面図
【図１３】伝票の用紙の裏面図
【図１４】図１２のＺ−Ｚ断面図
【図１５】第６実施形態の伝票の用紙の裏面図
【符号の説明】
【００４２】
３…記載欄
５…用紙
５Ａ…表面
６Ａ，６Ｂ，６Ｃ…紙片
１５…薬品塗布層
【図１】
2005199474.tif 000006
【図２】
2005199474.tif 000007
【図３】
2005199474.tif 000008
【図４】
2005199474.tif 000009
【図５】
2005199474.tif 000010
【図６】
2005199474.tif 000011
【図７】
2005199474.tif 000012
【図８】
2005199474.tif 000013
【図９】
2005199474.tif 000014
【図１０】
2005199474.tif 000015
【図１１】
2005199474.tif 000016
【図１２】
2005199474.tif 000017
【図１３】
2005199474.tif 000018
【図１４】
2005199474.tif 000019
【図１５】
2005199474.tif 000020